(57)【要約】      （修正有）【課題】肉や魚等の生鮮食品を樹脂フィルム等の酸素透過率が小さい保存袋に収納した状態で、該保存袋内の空気を脱気して生鮮食品の鮮度を維持するための保存袋に貼着して脱気を行うための、密封性に優れかつ安価な保存袋用脱気シールを提供する。【解決手段】台シート６を酸化透過率がゼロの樹脂フィルムで形成した密封保存袋４に固着した状態において台シートの孔に対向する位置で前記密封保存袋に孔を開口し、弁シート７を折り曲げ剥離して前記台シートの孔より吸引手段８によって前記密封保存袋内を脱気し、この脱気状態において前記弁シートを元に戻して前記台シートの孔を塞ぐことで空気が前記密封保存袋内に侵入するのを防止して、生鮮食品の腐敗を防止する。【選択図】図２
0003182490.tif 000002
【実用新案登録請求の範囲】
【請求項１】
生鮮食品を収納する酸素透過率が小さい樹脂フィルムで形成した密封保存袋の一部に接着手段によって固着する前記密封保存袋内の空気を吸引するための孔が開口されている軟質合成樹脂によって形成された台シートと、該台シートに一部が固着され前記台シートに対して折り曲げ剥離可能な弁シートとより構成したことを特徴とする保存袋用脱気シール。
【請求項２】
前記台シートは厚手で前記弁シートは薄手の軟質合成樹脂で構成したことを特徴とする請求項１記載の保存袋用脱気シール。
【請求項３】
前記台シートと前記弁シートが１枚のシートで構成され、前記台シートの中間部から折り返して弁シートとしたことを特徴とする請求項１記載の保存袋用脱気シール。
【請求項４】
前記弁シートの前記台シートの孔を塞ぐ面に弱粘着面を施したことを特徴とする請求項１乃至３の何れかに記載の保存袋用脱気シール。
【考案の詳細な説明】
【技術分野】
【０００１】
本考案は、肉や魚等の生鮮食品を樹脂フィルム等の酸素透過率が小さい保存袋に収納した状態で、該保存袋内の空気を脱気して生鮮食品の鮮度を維持するための保存袋に貼着して脱気を行うための保存袋用脱気シールに関する。
【背景技術】
【０００２】
従来における樹脂フィルム袋体内を脱気する手段として、例えば、特開２００２−３２１７４４号公報に開示されている発明が存在する。この発明は、脱気用通路が、シートに設けられた開口部と、この開口部に導通する柔軟な筒状の空気通路とを備え、他の空気通路が袋本体の外部から内部への空気の流れを遮断すると共に、電気掃除機のノズル等を開口部から空気通路内部に差し込むことにより、袋本体の内部から外部へ空気を排出するものである。
【０００３】
そして、空気を排出した後にはノズルを引き抜くことにより閉止弁の作用によって、外部からの空気が前記開口部から吸入されたり、袋本体よりの空気が開口部から排出されるのを防止するために、開口部内にフラップを取付けている。
【先行技術文献】
【特許文献】
【０００４】
【特許文献１】特開２００２−３２１７４４号公報
【考案の概要】
【考案が解決しようとする課題】
【０００５】
ところで、前記した特許文献１にあっては、開口部内にフラップを取付けることで、袋本体内の空気が脱気された状態を維持されるものであることから、狭い開口部内にフラップを取付けるための作業が非常に面倒であるといった問題があった。
【０００６】
本考案は前記した問題点を解決せんとするもので、その目的とするところは、脱気した状態の保存袋の形状変化に応じて変形可能な軟質合成樹脂による台シートと、該台シートに一部が固着され前記台シートに対して折り曲げ剥離可能な弁シートより構成し、前記弁シートを折り曲げて前記台シートに形成した孔と保存袋の孔を露出させ、該２つの孔より脱気を行い、脱気した状態において折り曲げた弁シートを元に戻して前記台シートの孔を塞ぐことで空気の逆流を阻止して脱気状態を保持することで、生鮮食品の鮮度を維持する保存袋用脱気シールを提供せんとするにある。
【課題を解決するための手段】
【０００７】
本考案の保存袋用脱気シールは前記した目的を達成せんとするもので、請求項１記載の手段は、生鮮食品を収納する酸素透過率が小さい樹脂フィルムで形成した密封保存袋の一部に接着手段によって固着する前記密封保存袋内の空気を吸引するための孔が開口されている軟質合成樹脂によって形成された台シートと、該台シートに一部が固着され前記台シートに対して折り曲げ剥離可能な弁シートとより構成し、前記台シートを前記密封保存袋に固着し前記弁シートを折り曲げ剥離した状態において前記台シートの孔に対向する位置で前記密封保存袋に孔を開口し、前記弁シートを折り曲げた状態で前記台シートの孔より吸引手段によって前記密封保存袋内を脱気し、この脱気状態において前記弁シートを元に戻して前記台シートの孔を塞いだことを特徴とする。
【０００８】
また、密封保存袋に予め空気の吸引孔を設けておけば、密封保存袋の孔と前記台シートの孔を対向させた状態で前記台シートを前記密封保存袋に固着してもよい。
【０００９】
請求項２記載の手段は、前記した請求項１において、前記台シートは厚手で前記弁シートは薄手の軟質合成樹脂で構成したことを特徴とする。
【００１０】
請求項３記載の手段は、前記した請求項１において、前記台シートと前記弁シートが１枚のシートで構成され、前記台シートの中間部から折り返して弁シートとしたことを特徴とする。
【００１１】
請求項４記載の手段は、前記した請求項１乃至３の何れかにおいて、前記弁シートの前記台シートの孔を塞ぐ面に弱粘着面を施したことを特徴とする。
【考案の効果】
【００１２】
本考案は前記したように台シートを密封保存袋に固着した状態において台シートの孔に対向する位置で密封保存袋に孔を開口し、台シートに密着している弁シートを折り曲げ剥離して台シートの孔を露出させ、その台シートの孔より吸引手段によって密封保存袋内を脱気し、この脱気状態において弁シートを元に戻して前記台シートの孔を塞ぐことにより、密封保存袋内の脱気状態が維持されるので生鮮食品の酸化を防ぎ鮮度を長時間維持することが可能であり、かつ、台シートと弁シートとの簡単な構成であるので密封保存袋が使用不能な状態になっても脱気シールは再度使用することも可能である。また、密封保存袋を酸素透過率が小さい合成樹脂フィルムで形成したことにより、空気中の酸素によって生鮮食品が酸化されるのを防止して、生鮮食品の腐敗を防止できる。
【００１３】
また、台シートと弁シートとを別部材で構成し、弁シートの厚みを薄くしたので、保存袋に台シートを固着した状態で保存袋に凹凸が生じても台シートは変形することがないので、保存袋内を脱気状態として台シートの孔を弁シートで塞いでも弁シートは台シートに密着して空気が前記孔より侵入することがない。
【００１４】
さらに、台シートと弁シートとを１枚のシートで形成したことにより、脱気シートとしてコストの低減と製造の容易化を図ることができる。
【００１５】
また、弁シートの台シートの孔を塞ぐ面に弱粘着面を施したことにより、冷蔵庫などからの密封保存袋の出し入れの際に、弁シートに手や物が引っ掛かっても弁シートが台シートから容易に剥がれることがなく、従って、空気の吸い込みが行われることがなく生鮮食品の損傷を防止することができるといった効果を奏するものである。
【図面の簡単な説明】
【００１６】
【図１】保存袋内にトレーに収納され、酸素透過率の少ないフィルムで覆われた生鮮食品を保存袋内に収納する状態を示す斜視図である。
【図２】生鮮食品を保存袋内に収納し保存袋を密封状態とし、この状態において吸引手段によって保存袋内を脱気する状態を示す側面図である。
【図３】密封保存袋内を脱気した状態の側面図である。
【図４】第１実施例の密封保存袋に固着する前のシールの斜視図である。
【図５】図４のシールを密封保存袋に固着した状態の斜視図である。
【図６】第２実施例の密封保存袋に固着する前のシールの斜視図である。
【図７】図６のシールを密封保存袋に固着した状態の斜視図である。
【考案を実施するための形態】
【００１７】
以下、本考案の保存袋用脱気シールの第１の実施例を図面と共に説明する。図１〜図５において、１は生鮮食品２（図面では牛肉）を収納する発泡トレーにして、該発泡トレー１の表面は樹脂フィルム３によって覆われている。４は酸素透過率が小さい樹脂フィルムで形成した保存袋にして、３辺が封止され、残る１辺にはチャック５が取付けられている。なお、保存袋４の酸素透過率は小さいほど外部の空気が保存袋４内に侵入しないので、生鮮食品が酸素によって酸化されるのを防止することができる。
【００１８】
６は前記保存袋４に接着剤や両面接着テープ６ａで固着された軟質合成樹脂製の台シートにして、中央部分には保存袋４内の空気を吸引して脱気するための孔６ｂが形成されている。７は前記台シート６の前記孔６ｂを除く一部に接着剤や両面接着テープ７ａで固着される固着部７ｂと、該固着部７ｂより延長された折り曲げ可能な折り曲げ部７ｃとより構成された前記台シート６と略同じ大きさで、かつ、台シート６より薄手の弁シート７である。また、前記弁シート７の裏面側（台シート６と対面する面）には、前記孔６ｂの外周縁と対面するように弱粘着の接着剤や両面接着テープからなる接着面７ｄが形成されている。
【００１９】
次に、生鮮食品を保存袋４内に収納し生鮮食品の劣化を防止するための手順について説明する。
先ず、図１において生鮮食品２が発泡トレー１に収納され、樹脂フィルム３によって覆われた状態で、保存袋４に形成されているチャック５の係合を外して内部に収納しチャック５を閉じて密封状態とする。なお、密封状態する手段としてはチャック５に限定されるものではなく熱溶着や接着剤によって行ってもよい。
【００２０】
密封保存袋４を脱気するには、脱気シートの台シート６を保存袋４に接着した状態において、孔６ｂと連通するように保存袋４に孔を開口する。なお、開口の手段としては、保存袋４が軟質合成樹脂製なのでアイスピックやボールペンの先端等で簡単に孔を開けることができる。また、保存袋４に予め前記台シート６の孔６ｂと連通する孔を開口し、この孔に台シート６の孔６ｂとが一致するように台シート６を固定しても良い。そして、弁シール７を接着面７ｄおよび台シート６から剥離し、弁シール７を直立方向に折り曲げて台シール６の孔６ｄを露出させる。次いで、ハンドクリーナーや家庭用電気掃除機等の吸引手段８の吸引口８ａを孔６ｂに近づけ吸引を開始する。
【００２１】
そして、密封保存袋４内の空気が略吸引された状態において弁シート７を元の状態（弁シート７が台シート６に密着し接着面７ｄに接着された状態）に戻すことで、密封状態が維持されて空気中の酸素によって生鮮食品が酸化されるのを防止して、生鮮食品の腐敗を防止することが可能となる。また、保存袋４は酸素透過率がゼロに近い酸素の透過の少ない樹脂フィルムで形成されているので、保存袋４の外表面からの酸素の侵入も阻止されるので、より生鮮食品の腐敗を防止することができる。
【００２２】
なお、実施例にあっては弁シート７によって孔６ｂよりの空気の侵入を防止するために、孔６ｂの周囲に形成した接着面７ｄに弁シート７を接着させた場合について説明したが、台シート６の厚みがあり脱気後の保存袋４の凹凸には関係なく平坦状態を維持する台シート６であれば弁シート７も台シート６に密着可能であるので、必ずしも接着面７ｄを形成する必要はない。
【００２３】
次に、脱気シートの第２実施例を図６、図７と共に説明する。
この実施例における脱気シートは軟質合成樹脂によって形成した１枚のシート９を２つ折にして下側を台シート９ａとなし、該台シート９ａの裏面に接着剤や両面接着テープ９ｂによる接着面として保存袋４へ接着固定する。なお、台シート９ａには前記した図２に示した吸引手段８の吸引口８ａによって保存袋４より空気を吸引するための孔９ｃが形成されている。
【００２４】
また、台シート９ａより折り返された上面のシートを弁シート９ｄとし、折り返し部に近い部分を接着剤や両面接着テープ９ｅによる接着面によって台シート９ａと一体化する。前記弁シート９ｄの裏面側には、前記孔９ｃの外周縁と対面するように弱粘着の接着剤や両面接着テープからなる接着面９ｆが形成されている。
【００２５】
このように構成した第２実施例において保存袋４内の空気を脱気するには、前記した第１実施例と同様に、台シート９ａを保存袋４に接着した状態において、孔９ｃと連通するように保存袋４に孔を開口する。そして、弁シール９ｄを接着面９ｆおよび台シート９ａから剥離し直立方向に折り曲げて台シール９ａの孔９ｃを露出させる。
【００２６】
次いで、ハンドクリーナーや家庭用電気掃除機等の吸引手段８の吸引口８ａを孔９ｃに近づけ保存袋４内の空気の吸引を開始することで、前記した第１実施例と同様に保存袋４内の脱気が行え、この状態において弁シート９ｄを元の状態に戻すことで、密封状態が維持され、また、保存袋４は酸素透過率がゼロに近い樹脂フィルムで形成されているので、保存袋４からの酸素も侵入が阻止されるので、より生鮮食品の腐敗を防止することができる。
【００２７】
前記した実施例では、生鮮食品２を発泡トレー１に載置した状態で保存袋４内に収納した場合について説明したが、生鮮食品２を直接保存袋４内に収納しても生鮮食品の腐敗を防止することができることは当然である。
【符号の説明】
【００２８】
１         発泡トレー
２         生鮮食品
３         樹脂フィルム
４          保存袋
５          チャック
６，９ａ    台シート
６ｂ，９ｃ  孔
７，９ｄ    弁シート
７ｄ，９ｆ  接着面
【図１】
0003182490.tif 000003
【図２】
0003182490.tif 000004
【図３】
0003182490.tif 000005
【図４】
0003182490.tif 000006
【図５】
0003182490.tif 000007
【図６】
0003182490.tif 000008
【図７】
0003182490.tif 000009